(57)【要約】【課題】ボールに対する打撃を重要な要素とするスポーツにおいて、正しい腰の回転によって正しいフォームで打球することができるようにすること。【解決手段】一方の脚の腿の内側に装着する接触板１と、該接触板１を一方脚の腿に取り付けるためのベルト部材２とで構成する。接触板１は、長方形の板状の基板１ａと、その上に接合固定した、それより僅かに小さい同様に長方形の板状の接触突板１ｂとで構成する。基板１ａと接触突板１ｂとはプラスチック板材で構成し、前者の中央に後者を接着剤で接着接合したものである。ベルト部材２は、そのほぼ中央部を接触板１の裏面中央部に接着接合した一本の帯状部材２ａと、その一端部の一面に配した雄型面状ファスナー２ｂと、他端部の他面に配した雌型面状ファスナー２ｃとで構成したものである。【選択図】図１
0003167904.tif 000002
【実用新案登録請求の範囲】
【請求項１】
一方の脚の腿の内側に装着する接触板と、該接触板を該一方の脚の腿の内側に装着するための取付手段とで構成した打撃フォーム矯正具。
【請求項２】
前記接触板を、基板とその上に配した接触突板とで構成した請求項１の打撃フォーム矯正具。
【請求項３】
前記取付手段を前記接触板の下部に開口した貫通穴を通したベルトであって、その両端に相互を結合する結合手段を配したベルトで構成した請求項１又は２の打撃フォーム矯正具。
【請求項４】
前記接触板の厚さを変更可能に構成した請求項１、２又は３の打撃フォーム矯正具。
【考案の詳細な説明】
【技術分野】
【０００１】
本考案は、野球、ゴルフ、ソフトボールなどのボールを扱うスポーツにおいて、ボールを打撃するフォームに問題がある場合に、これを矯正し、正しいフォームで適正に打撃できるようにする打撃フォーム矯正具に関するものである。
【背景技術】
【０００２】
このような打撃フォームの矯正具にはいくつかの提案がある。
特許文献１は、野球、テニス又はゴルフ等のボールを打撃する動作をそのうちに含むゲームにおける打撃フォームを矯正するための打撃フォーム矯正器であるとされ、使用場所に配置するための鉄板と、該鉄板から立ち上げた伸縮自在な主軸中空管と、該主軸中空管の上端にその長さ方向中間部を回動自在に結合した中空管と、該中空管の上端に玉受ゴムを介して結合したプラスチック中実ボールと、該中空管の下端に上端を接続し、下端を前記主軸中空管の下部途中に配したゴムベルト止ボルトに固定したゴムベルトとで構成したものである。
【０００３】
従って、例えば、野球の打撃練習にこれを用いる場合は、バットスイングによって打撃されたプラスチック中実ボールは、バットの移動方向に強制移動させられるが、その動きは該中実ボールを直接に支持する玉受ゴムによって吸収され、更にこれを支持する中空管が回動することにより十分に吸収されることになる。またその中空管の動きはその後ゴムベルトの作用により元の位置に復帰させられることになる。従ってバットスイングを連続して繰り返し行うことができる。また打撃対象である中実ボールの高さが不適当である場合は、主軸中空管の長さを伸縮調整することにより、適切な高さに調整できる、とされている。
【０００４】
この特許文献１の打撃フォーム矯正器では、以上のように、単にボールの練習を比較的安全に繰り返すことができるのみであり、フォームの欠陥を矯正する機能はどこにも有していない。フォームの矯正をしようと思ってこれを使用する者が、自覚しているフォームの欠陥を修正しつつ自ら繰り返し練習することで是正できるというに過ぎない。
【０００５】
特許文献２は、野球やソフトボールの打撃フォーム矯正に用いるスイング矯正用バットであり、これは、右打者の場合はスイング時に左手で握る引き手グリップと、打球する部位であるヘッド部とが互いに離間してロッドにより連結され、前記引き手グリップと前記ヘッド部との間に、前記ロッドに沿って往復移動自在に前記の場合に右手で握る押し手グリップが配設されているものである。
【０００６】
野球やソフトボールの打撃において、一般的に、正しいスイングは、スイングの始動からインパクトの直前までは、引き手のみで動作をし、インパクト時以降においてのみ、押し手を引き手に押し付けながら振り切るようにするのだとされ、このスイング矯正用バットは、この理論に基づくものであるとされている。そしてこのスイング矯正用バットを用いてスイングをした場合には、正しいスイングができると、押し手グリップと引き手グリップとがインパクト時に衝突して音を発することとなる。従ってその音を発したか否かを確認することで、そのスイングが正しくできたか否かを自分でもまた他人からも容易に確認することできる。それ故、スイング時における正しいグリップの指導や習得が容易になるとされている。
【０００７】
特許文献２のスイング矯正用バットは、以上の通りのもので、以上のように使用できるものであるから、スイングが正しくできたか否かを確認する面では一応の有効性を認めることができると思われる。しかし、このスイング矯正用バットは、手や腕の使い方の矯正にポイントがおかれ、スイングの際に前記衝突音を発するようにするために、手や腕の使い方に意識が集中し過ぎ、身体の他の部位、例えば、より重要な腰の動きがおろそかになる可能性もあり、新たな問題を生じるおそれもあるように思われる。
【０００８】
特許文献３は、野球やソフトボールに使用するフォーム矯正具付きのスポーツ用打撃具であり、これは、打撃部とこれを延長したグリップ部とを備えたスポーツ用打撃具において、グリップエンド後方に種々の態様で、すなわち、固定的に、着脱自在に、スライド可能に、又はグリップ部内等に出し入れ自在に、若しくはチェック機能等の付加機能を付けたフォーム矯正具が突設されたものである。
【０００９】
このフォーム矯正具付スポーツ用打撃具によれば、グリップエンドの後方にフォーム矯正具が突出して設けられているので、これを野球のバットとして構成し、これを用いてスイングした場合に、正しいスイングをしないと、その正しくない理由毎に、フォーム矯正具が身体の種々の部位に接触することとなるとされ、それ故、該フォーム矯正具が身体のどの部位に接触したかによってそのスイングの良否及び正しくない理由が明らかになり、矯正の仕方が即座に判断できるとされている。
【００１０】
しかし、これも、やはりこれを使用してスイングすることにより、問題点が明らかになるだけであって、これによって直接にスイングを矯正することはできない。
【先行技術文献】
【特許文献】
【００１１】
【特許文献１】特開２００３−０５２８７８号公報
【特許文献１】特開２００４−３２９５４１号公報
【特許文献１】特開２００９−２７３８５６号公報
【考案の概要】
【考案が解決しようとする課題】
【００１２】
前記特許文献１の手段は、単に練習を繰り返すことができるに過ぎず、特許文献２、３のフォーム矯正手段は、フォームの問題点を指摘することはできるが、それ自体によってフォームを矯正することは困難である。また特許文献２、３の手段は、腰の回転の仕方に注目する技術でもない。
本考案は、以上のような従来技術の問題点を解決し、野球、ソフトボール又はゴルフなどのように、ボールに対する打撃を重要な要素とするスポーツにおいて、正しい腰の回転によって正しいフォームで打球することができるようにフォームを矯正する打撃フォーム矯正具を提供することを解決の課題とするものである。
【課題を解決するための手段】
【００１３】
本考案の１は、一方の脚の腿の内側に装着する接触板と、該接触板を該一方の脚の腿の内側に装着するための取付手段とで構成した打撃フォーム矯正具である。
【００１４】
本考案の２は、本考案の１の打撃フォーム矯正具において、
前記接触板を、基板とその上に配した接触突板とで構成したものである。
【００１５】
本考案の３は、本考案の１又は２の打撃フォーム矯正具において、
前記取付手段を前記接触板の下部に開口した貫通穴を通したベルトであって、その両端に相互を結合する結合手段を配したベルトで構成したものである。
【００１６】
本考案の４は、本考案の１、２又は３の打撃フォーム矯正具において、
前記接触板の厚さを変更可能に構成したものである。
【考案の効果】
【００１７】
本考案の１の打撃フォーム矯正具によれば、これを、その接触板が、一方の脚の腿の内側に位置するように取り付けて打撃の練習をすれば、打撃の際に、その接触板の前面に他方の腿の内側が接触するか否かで、スイングの際に腰の回転が十分に行われたか否かを明瞭に判断することが可能であり、かつ該接触板に他方の腿の内側が接触するように打撃することにより、打撃フォームが正しいそれに矯正されることになる。
【００１８】
野球、ゴルフ、ソフトボールなどでボールを打撃する場合には、上半身（腕）の力に頼るのではなく、下半身を回転させてスイングすることが重要であるとされている。しかし、例えば、野球の場合には、バット握ってボールを打とうとすると、バットをボールに向かってスイングすることに気持ちが集中し、上半身（腕）でバットを操作しようとしがちであり、このときに、教えられたとおりに、腰を回転させて打撃を実行することはなかなか難しいのが実情である。腰の回転をうまく実行したか否かが容易に実感できないので、余計に困難である。
【００１９】
しかし本考案の１の打撃フォーム矯正具を、前記のように、一方の脚の腿の内側に取り付けて打撃練習を行うと、他方の腿の内側がその接触板の前面に接触するまで腰を回転させることで、十分な腰の回転を確保することが可能であり、また自分でも十分に腰を回転させたことがその感触により分かる。これにより、すなわち、他方の腿の内側が接触板の前面に接触するまで腰を回転させることで打撃フォームを矯正することが可能になるものである。
【００２０】
また本考案の１の打撃フォーム矯正具は、練習中ばかりでなく、ゲーム中にも使用可能であり、またその装着も容易で、指導者等の協力を必要としない。子供から大人まで使用可能であり、持ち運びも極めて容易である利点がある。
【００２１】
本考案の２の打撃フォーム矯正具によれば、適切な厚さの接触板を有するこれを容易に作成できる利点がある。
【００２２】
本考案の３の打撃フォーム矯正具によれば、結合手段をベルトで構成したので、接触板の一方の脚の腿に容易かつ確実に取り付けることができる。
【００２３】
本考案の４の打撃フォーム矯正具によれば、接触板の厚さを変更可能に構成したので、高齢者等がこれを用いる場合には、その厚さを通常より厚くして、無理なく使用できるようにその厚さを調整することができる。
【図面の簡単な説明】
【００２４】
【図１】(a)は実施例１の打撃フォーム矯正具の一部切欠正面図、(b)(a)の底面図。
【図２】(a)は打撃フォーム矯正具を装着した状態で打撃を開始する開始時点を示す説明図、(b)は打撃フォーム矯正具を装着した状態で打撃を終了した時点を示す説明図。
【図３】(a)実施例２の打撃フォーム矯正具の厚み調整用の調整板を追加する状態を示した底面図、(b)は調整板を追加した状態の正面図、(c)は調整板を追加した状態の側面図。
【図４】(a)は図３(b)のＡ−Ａ線断面図、(b)は調整板を取り外した状態の断面図。
【考案を実施するための形態】
【００２５】
考案の実施の形態を、図面を参照しながら実施例に基づいて詳細に説明する。
＜実施例１＞
この実施例１の打撃フォーム矯正具は、図１(a)、(b)に示すように、一方の脚の腿の内側に装着する接触板１と、該接触板１を該一方の脚の腿の内側に取り付けるためのベルト部材（取付手段）２とで構成したものである。
【００２６】
前記接触板１は、これを一方の脚の腿の内側に装着してバット等のスイングをし、適正に腰を回転させた場合に、その接触板１の前面に他方の脚の腿の内側が接触するような適正な厚さに構成したものであれば、特定の構成に限定されない。この実施例１では、該接触板１は、図１(a)、(b)に示すように、長方形の板状の基板１ａと、その上に接合固定した、それより僅かに小さい同様に長方形の板状の接触突板１ｂとで構成したものである。材質も特定のそれに限定されないが、この実施例１では、脚に装着した場合に重量等の負担を生じさせない軽量のプラスチック板材を採用した。プラスチック板材は発泡したそれを採用すればより軽量とすることができる。またこのような発泡プラスチックを採用した場合には、何らかの事情で身体のいずれかの一部とこの接触板１との異常に強い衝突等が生じても安全である。
【００２７】
この実施例１では、前記のように、接触板１は、基板１ａと、これに接合固定する接触突板１ｂとで構成し、それぞれは、プラスチック板材で構成し、接着剤で接着接合したものである。もちろん、基板１ａと接触突板１ｂとはこれをプラスチックにより一体に成形しても良い。それぞれの部位の厚さは、この実施例１では、２０ｍｍとした。従ってこの実施例１の接触板１の全体の厚さは４０ｍｍである。また基板１ａは、前記のように、長方形の板材であるが、その長辺の長さは、この実施例１では、１５０ｍｍとした。短辺の長さは１２０ｍｍとした。また接触突板１ｂの長辺の長さは１２０ｍｍとし、短辺の長さは９０ｍｍとした。もちろん、これらの寸法の限定されるものではなく、一例である。
【００２８】
前記ベルト部材２は、図１(a)、(b)に示すように、この実施例１では、そのほぼ中央部を前記接触板１の裏面中央部に接着接合した一本の帯状部材２ａと、該帯状部材２ａの一方の端部の一面に配した雄型面状ファスナー２ｂと、該帯状部材２ａの他方の端部の他面に配した雌型面状ファスナー２ｃとで構成したものである。
【００２９】
該帯状部材２ａは、この実施例１では、布製のそれを採用したが、これに限定されず、種々の材質のそれを採用することができる。前記雄型面状ファスナー２ｂは、前記帯状部材２ａの該当する面に植設した多数のフックからなるものであり、かつ雌型面状ファスナー２ｃは、該帯状部材２ａの該当する面に植設した多数のリングからなるものであって、両者を対面状態にして圧接すると相互に結合するものであるが、これに限定されるわけではない。これに代えて、該帯状部材２ａの両端を結合可能な種々の留め金類を自由に採用することができる。
【００３０】
このベルト部材２は、この実施例１では、前記のように、一本のそれで構成したが、二本以上のそれで構成しても良い。
またこのベルト部材２は、そのほぼ中央部を接触板１の基板１ａの裏面に接着剤を介して接合固定したが、これに限定されず、例えば、接触板１の一部にスリット状の貫通孔を開口して、これを貫通させた上で固定するような構成にしても良いのは云うまでもない。
【００３１】
従ってこの実施例１の打撃フォーム矯正具によれば、これを、その接触板１が、一方の脚、野球の場合で右打者の場合は、図２(a)に示すように、通常、左脚の腿の内側に位置するように装着して打撃の練習をすれば、バットスイングの際に、図２(b)に示すように、その接触板１の接触突板１ｂの前面に他方の脚（右脚）の腿の内側が接触するか否かで、腰の回転が十分に行われたか否かが明瞭に判断でき、かつ他方の脚（右脚）の腿の内側が接触するようにスイングすることにより、打撃フォームが正しいそれに矯正されることになる。
【００３２】
なお、この打撃フォーム矯正具の装着は、前記接触板１の基板１ａの裏面を左脚の腿の内側に当接状態に配した上で、そのベルト部材２の帯状部材２ａの両端をこれで腿を抱えるように反対側に廻し、その両端の雄型面状ファスナー２ｂと雌型面状ファスナー２ｃとを圧接して接続し、該接触板１を該位置に固定することで行う。
【００３３】
ところで、野球における打撃には、レイトスイングが重要であるとされている。投手によって投げられたボールのコースを見定め、投手が振りかぶって投げる前に下半身の体重移動、すなわち、左右の脚を肩幅に立ち、右足の内側に体重を掛け（右打者の場合、以下同様）、その内側に掛けた体重を左内側に移動する。なお、この体重移動は水平移動である。この体重移動と同時に腰を水平に回転させ、この腰の回転の後からしなるようにバットをスイングする。投手が振りかぶって投球する前に前記体重移動ができていれば、振り遅れることにはならず、ボールを引きつけて打つことができる、とされている。
【００３４】
要するに、打撃において最も重要なのは、右脚内側から左脚へのスムーズな水平体重移動と、水平に回転する腰の回転運動である、とされている。
【００３５】
この実施例１の打撃フォーム矯正具を、前記のように、右打者の場合は、その接触板１を、例えば、左脚の腿の内側に位置するように装着して打撃の練習をすれば、バットスイングの際に、その接触板１の接触突板１ｂの前面に右脚の腿の内側が接触するか否かで、腰の回転が十分に行われたか否かを明瞭に判断でき、かつ右脚の腿の内側が接触するようにスイングすることにより、打撃フォームが正しいそれに矯正されることになる。すなわち、前記した打撃における重要なレイトスイングが実行できるように、打撃における腰の回転動作を正しい十分な回転のそれに矯正することができるものである。
【００３６】
＜実施例２＞
この実施例２の打撃フォーム矯正具は、実施例１と接触板１１の構成、特に、これが、実施例１の接触突板１ｂとほぼ同様の接触突板１１ｂに加えてこれに追加できる高さ調整用の調整板１１ｃを有する点が異なり、他の構成は同様である。従って以上の実施例１と異なる点に重点をおいて説明する。
【００３７】
前記接触板１１は、図３(a)〜(c)及び図４(a)、(b)に示すように、実施例１の基板１ａと同様の基板１１ａと、この基板１１ａの上面に固設した、実施例１の接触突板１ｂとほぼ同様の接触突板１１ｂと、この接触突板１１ｂに着脱自在に配した厚さ（高さ）調整用の調整板１１ｃとで構成したものである。いずれも若干弾力性を有するプラスチックで成形したものである。
【００３８】
該接触突板１１ｂの縦横の寸法及び厚さは、実施例１の接触突板１ｂと同様である。この実施例２では、該接触突板１１ｂは、前記基板１１ａの上面中央に接着剤で接着固定したが、勿論、該基板１１ａと一体に成形しても良い。該接触突板１１ｂは、図３(a)、(c)及び図４(a)、(b)に示すように、その四辺のほぼ中央にそれぞれ横長の係止口１１ｂｈを開口しており、この点のみが実施例１の接触突板１ｂと異なる。該接触突板１１ｂの四辺に開口した各係止口１１ｂｈは、該接触突板１１ｂの上にその厚さ（高さ）を厚くするために配する調整板１１ｃの取り付け用に構成したものである。
【００３９】
前記調整板１１ｃは、図３(a)〜(c)及び図４(a)、(b)に示すように、接触突板１１ｂと同様の縦横の寸法及び厚さの調整板本体１１ｃ１と、その四辺からそれぞれ各辺の傾斜角度と一致する角度で垂下した腕部１１ｃ２と、各腕部１１ｃ２の下端に内向きに突出させた係止片１１ｃ３とで構成したものである。なお、各腕部１１ｃ２の垂下寸法は、調整板本体１１ｃ１の下面を、図３(a)、(b)で一点鎖線で示すように、かつ図４(a)に示すように、接触突板１１ｂの上面に当接させた状態で、その下端の係止片１１ｃ３が、該接触突板１１ｂの四辺の係止口１１ｂｈに係止可能な位置に位置することができる寸法とする。
【００４０】
従って、該調整板１１ｃは、図３(a)、(c)、図４(b)に示すように、その下面を、接触突板１１ｂの上面に当接させるように近づけると、前者の各辺の腕部１１ｃ２の下端の係止片１１ｃ３は、後者の辺の外面に接触しながら下降移動し、前者の下面が後者の上面に当接するに至った段階で、腕部１１ｃ２の弾力により後者の係止口１１ｂｈに挿入係止状態となる。図３(a)、(c)の一点鎖線、図３(b)及び図４(a)は、調整板１１ｃが接触突板１１ｂの上面に配され、その状態が、前者の係止片１１ｃ３が後者の係止口１１ｂｈに挿入係止することで確保された状態を示している。
【００４１】
また該調整板１１ｃは、これを接触突板１１ｂから離間する方向に強く引けば、前者の係止片１１ｃ３が腕部１１ｃ２の弾力により係止口１１ｂｈから外れるので、該接触突板１１ｂから比較的容易に取り外すことができる。
【００４２】
従ってこの実施例２の打撃フォーム矯正具によれば、接触板１１の接触突板１１ｂに調整板１１ｃを着脱自在に配して、その厚さを厚くし、又は標準状態に保持することができる。使用者が若く身体の柔軟性を十分に備えている場合には、調整板１１ｃを使用せず、標準状態の厚さで使用するのが適当であるが、使用者が若くない場合は、調整板１１ｃを追加して接触板１１の厚さを厚くすることで、安全に使用することができることになる。
【００４３】
その他は、実施例１について述べたのと同様である。
【符号の説明】
【００４４】
１    接触板
１ａ  基板
１ｂ  接触突板
２    ベルト部材（取付手段）
２ａ  帯状部材
２ｂ  雄型面状ファスナー
２ｃ  雌型面状ファスナー
１１  接触板
１１ａ  基板
１１ｂ  接触突板
１１ｂｈ  係止口
１１ｃ  調整板
１１ｃ１  調整板本体
１１ｃ２  腕部
１１ｃ３  係止片
【図１】
0003167904.tif 000003
【図２】
0003167904.tif 000004
【図３】
0003167904.tif 000005
【図４】
0003167904.tif 000006
【手続補正書】
【提出日】平成23年3月10日(2011.3.10)
【手続補正１】
【補正対象書類名】明細書
【補正対象項目名】００１３
【補正方法】変更
【補正の内容】
【００１３】
本考案の１は、一方の脚の腿の内側に装着する、基板及びその上に配した接触突板からなる接触板と、該接触板を該一方の脚の腿の内側に装着するための取付手段であって、該接触板の一部に形成したスリット状の貫通孔に貫通させて固定した又は該基板の裏面側に接着接合したベルト部材からなる取付手段とで構成した打撃フォーム矯正具である。
【手続補正２】
【補正対象書類名】明細書
【補正対象項目名】００１４
【補正方法】変更
【補正の内容】
【００１４】
本考案の２は、本考案の１の打撃フォーム矯正具において、
前記取付手段を構成するベルト部材に、その一端部に配した雌型面状ファスナー及び他端部に配した雄型面状ファスナーからなる結合手段又は両端部に配した該両端部を結合する留め金類からなる結合手段を配したものである。
【手続補正３】
【補正対象書類名】明細書
【補正対象項目名】００１５
【補正方法】変更
【補正の内容】
【００１５】
本考案の３は、本考案の１又は２の打撃フォーム矯正具において、
前記接触板の接触突板の上面に厚さを調整する調整板を着脱自在に配したものである。
【手続補正４】
【補正対象書類名】明細書
【補正対象項目名】００１６
【補正方法】削除
【補正の内容】
【手続補正５】
【補正対象書類名】明細書
【補正対象項目名】００２０
【補正方法】変更
【補正の内容】
【００２０】
また本考案の１の打撃フォーム矯正具は、練習中ばかりでなく、ゲーム中にも使用可能であり、またその装着も容易で、指導者等の協力を必要としない。すなわち、取付手段をベルト部材で構成したので、これを用いて、接触板を一方の脚の腿に容易かつ確実に取り付けることができる。またこの打撃フォーム矯正具には、子供から大人まで使用可能であり、持ち運びも極めて容易である利点がある。
【手続補正６】
【補正対象書類名】明細書
【補正対象項目名】００２１
【補正方法】変更
【補正の内容】
【００２１】
本考案の２の打撃フォーム矯正具によれば、ベルト部材の一端に雄型面状ファスナーを、他端に雌型面状ファスナーを配したので、ベルト部材で腿を抱えるように廻し、その両端の雄型面状ファスナーと雌型面状ファスナーとを圧接して接続し、接触板をその位置に固定することができる。留め金類をこれに代えて採用することもできる。
【手続補正７】
【補正対象書類名】明細書
【補正対象項目名】００２２
【補正方法】変更
【補正の内容】
【００２２】
本考案の３の打撃フォーム矯正具によれば、接触板の厚さを変更可能に構成したので、高齢者等がこれを用いる場合には、その厚さを通常より厚くして、無理なく使用できるようにその厚さを調整することができる。
【手続補正８】
【補正対象書類名】明細書
【補正対象項目名】００２３
【補正方法】削除
【補正の内容】
【手続補正９】
【補正対象書類名】明細書
【補正対象項目名】００２６
【補正方法】変更
【補正の内容】
【００２６】
前記接触板１は、これを一方の脚の腿の内側に装着してバット等のスイングをし、適正に腰を回転させた場合に、その接触板１の前面に他方の脚の腿の内側が接触するような適正な厚さに構成する。この実施例１では、該接触板１は、図１(a)、(b)に示すように、長方形の板状の基板１ａと、その上に接合固定した、それより僅かに小さい同様に長方形の板状の接触突板１ｂとで構成したものである。材質も特定のそれに限定されないが、この実施例１では、脚に装着した場合に重量等の負担を生じさせない軽量のプラスチック板材を採用した。プラスチック板材は発泡したそれを採用すればより軽量とすることができる。またこのような発泡プラスチックを採用した場合には、何らかの事情で身体のいずれかの一部とこの接触板１との異常に強い衝突等が生じても安全である。
【手続補正１０】
【補正対象書類名】明細書
【補正対象項目名】００２７
【補正方法】変更
【補正の内容】
【００２７】
この実施例１では、前記のように、接触板１は、基板１ａと、これに接合固定する接触突板１ｂとで構成し、それぞれは、プラスチック板材で構成し、接着剤で接着接合したものである。もちろん、基板１ａと接触突板１ｂとはこれをプラスチックにより一体に成形しても良い。それぞれの部位の厚さは、この実施例１では、２０ｍｍとした。従ってこの実施例１の接触板１の全体の厚さは４０ｍｍである。また基板１ａは、前記のように、長方形の板材であるが、その長辺の長さは、この実施例１では、１５０ｍｍとした。短辺の長さは１２０ｍｍとした。また接触突板１ｂの長辺の長さは１２０ｍｍとし、短辺の長さは９０ｍｍとした。もちろん、これらの寸法に限定されるものではなく、一例である。
【手続補正１１】
【補正対象書類名】実用新案登録請求の範囲
【補正対象項目名】全文
【補正方法】変更
【補正の内容】
【実用新案登録請求の範囲】
【請求項１】
一方の脚の腿の内側に装着する、基板及びその上に配した接触突板からなる接触板と、該接触板を該一方の脚の腿の内側に装着するための取付手段であって、該接触板の一部に形成したスリット状の貫通孔に貫通させて固定した又は該基板の裏面側に接着接合したベルト部材からなる取付手段とで構成した打撃フォーム矯正具。
【請求項２】
前記取付手段を構成するベルト部材に、その一端部に配した雌型面状ファスナー及び他端部に配した雄型面状ファスナーからなる結合手段又は両端部に配した該両端部を結合する留め金類からなる結合手段を配した請求項１の打撃フォーム矯正具。
【請求項３】
前記接触板の接触突板の上面に厚さを調整する調整板を着脱自在に配した請求項１又は２の打撃フォーム矯正具。